(57)【要約】【課題】取付対象物に定着させた後は、簡単には取り外す事ができないようにする。【解決手段】フック又は紐状体を係止自在な係止用リング部２と、その係止用リング部２を取付対象物１に支持させるロッド状埋設取付部３とが備えられている係止用金具において、ロッド状埋設取付部３に、ロッド径方向外方に突出したアンカー部４が設けられている。【選択図】図１
2008223943.tif 000002
【特許請求の範囲】
【請求項１】
フック又は紐状体を係止自在な係止用リング部と、その係止用リング部を取付対象物に支持させるロッド状埋設取付部とが備えられている係止用金具であって、
前記ロッド状埋設取付部に、ロッド径方向外方に突出したアンカー部が設けられている係止用金具。
【請求項２】
前記係止用リング部は、前記埋設取付部に対して、ロッド軸芯周りに相対空回転自在に取り付けられている請求項１に記載の係止用金具。
【請求項３】
前記アンカー部は、ロッド軸芯方向視で多角形形状の鍔部で構成してある請求項１又は２に記載の係止用金具。
【請求項４】
前記係止用リング部に、素材の凹凸によって表示されている意匠部が設けられている請求項１〜３の何れか一項に記載の係止用金具。
【発明の詳細な説明】
【技術分野】
【０００１】
本発明は、所謂『アイボルト』や『アイナット』と呼ばれる係止用金具をその一例として挙げることができ、フック又は紐状体を係止自在な係止用リング部と、その係止用リング部を取付対象物に支持させるロッド状埋設取付部とが備えられている係止用金具に関する。
【背景技術】
【０００２】
従来、この種の係止用金具としては、上述のように、アイボルトやアイナットのような係止用金具があった。
このような係止用金具の本来の用途は、重量設備（一例としては、屋外に設置される機械装置や制御盤）等の吊上げ対象物に螺着しておき、その吊上げ対象物の設置時にクレーンのフックやワイヤーを係止させて吊上げできるようにするものであった。
しかしながら、最近では、吊り上げる用途の他に、例えば、ゲートの両側の支柱や壁等に当該係止用金具を夫々埋め込んでおき、通行止めのチェーンを係止するような用途としても使用されるようになってきている。
従来のこの種の係止用金具２０の構造は、図５に示すように、フックを係止自在な係止用リング部２と、その係止用リング部２を前記吊上げ対象物（取付対象物１に相当）に支持させるネジ部３０（ロッド状埋設取付部に相当）が設けられていた（例えば、特許文献１参照）。
【０００３】
【特許文献１】特開２００１−９９１２３号公報（図１〜２）
【発明の開示】
【発明が解決しようとする課題】
【０００４】
上述した従来の係止用金具によれば、取付対象物への取り付けは、ネジ部が螺着するように締め込む操作によって実施されるわけであるが、取り付けられた状態では、緩める方向に回転操作することによって誰でもが容易に取り外す事ができる。
そして、取り外されるのみならず、持ち去られるといったことも発生しており、容易に外せないようにするために、予め、取付対象物に大きめの穴を形成しておき、その穴にネジ部を位置させると共に、ネジ部との間の空間にモルタル等の充填材を充填して固着することも実施された。
しかし、それでも、前記係止用リング部に、棒を差し込んで、無理やり螺子軸芯周りに回すと、ネジ部周りの充填材が破断して、やはり簡単に取り外されてしまう問題点があった。
【０００５】
従って、本発明の目的は、上記問題点を解消し、取付対象物に定着させた後は、簡単には取り外す事ができない係止用金具を提供するところにある。
【課題を解決するための手段】
【０００６】
本発明の第１の特徴構成は、フック又は紐状体を係止自在な係止用リング部と、その係止用リング部を取付対象物に支持させるロッド状埋設取付部とが備えられている係止用金具において、前記ロッド状埋設取付部に、ロッド径方向外方に突出したアンカー部が設けられているところにある。
【０００７】
本発明の第１の特徴構成によれば、前記ロッド状埋設取付部に、ロッド径方向外方に突出したアンカー部が設けられているから、前記アンカー部がその周りの充填材と強く結合し、従来のように簡単に充填材が破断することを未然に防止できるようになる。
従って、取付対象物に一度定着させた後は、簡単には取り外す事ができなくなり、取付対象物が壊されたり、係止用金具が盗難に遭うのを未然に防ぐことが可能となる。
【０００８】
本発明の第２の特徴構成は、前記係止用リング部は、前記埋設取付部に対して、ロッド軸芯周りに相対空回転自在に取り付けられているところにある。
【０００９】
本発明の第２の特徴構成によれば、本発明の第１の特徴構成による上述の作用効果を叶えることができるのに加えて、仮に、係止用リング部に長尺の棒を挿入して、埋設取付部毎回転させようとしても、前記係止用リング部は、前記埋設取付部に対して、ロッド軸芯周りに相対空回転自在に取り付けられているから、係止用リング部のみが空回転するだけで、取付対象物に対する埋設取付部の取付状態は、安定した状態のまま維持され易い。
従って、よりいっそう取り外し難くなる。
また、係止用リング部に作用する回転力は、故意に取り外すために第三者が加えた力に限らず、例えば、フックやチェーンに、風や、不可抗力の外力が作用して加わることもあるが、そんな場合にも、当該係止用金具が取付対象物から外れるのを防止できる。
【００１０】
本発明の第３の特徴構成は、前記アンカー部は、ロッド軸芯方向視で多角形形状の鍔部で構成してあるところにある。
【００１１】
本発明の第３の特徴構成によれば、本発明の第１又は２の特徴構成による上述の作用効果を叶えることができるのに加えて、前記アンカー部は、ロッド軸芯方向視で多角形形状の鍔部で構成してあるから、単に埋設取付部の引抜抵抗を鍔部で確保する事の他に、埋設取付部へのロッド軸芯周りの回転力が作用する場合に、前記多角形の角や、外周平面が周りの固定材と強く接当する事によって大きな抵抗力を生み出すことができ、より外れ難く安定した取付状態を維持することが可能となる。
【００１２】
本発明の第４の特徴構成は、前記係止用リング部に、素材の凹凸によって表示されている意匠部が設けられているところにある。
【００１３】
本発明の第４の特徴構成によれば、本発明の第１〜３の何れかの特徴構成による上述の作用効果を叶えることができるのに加えて、外観上の付加価値が、前記意匠部によって向上する。また、意匠部への表示内容としては、例えば、設置施設の名称であったり、マーク等が挙げられる。そして、仮に、当該係止用金具が盗難にあっても、意匠部の表示によって盗難品である事を特定し易くなる。
そして、意匠部そのものは、素材の凹凸によって表示されているから、ペイントによって表示されものに比べて消え難く、いつまでも意匠部の表示を維持することが可能となる。
【発明を実施するための最良の形態】
【００１４】
以下に本発明の実施の形態を図面に基づいて説明する。尚、図面において従来例と同一の符号で表示した部分は、同一又は相当の部分を示している。
【００１５】
〔第１実施形態〕
図１、図２は、本発明の係止用金具Ｔの一実施形態であるアイボルトＴ１を示すもので、当該アイボルトＴ１は、例えば、コンクリート製の支柱等の取付対象物１に、基端部を埋設することで先端側を表面から露出する状態に設置し、露出した部分に、ロープやチェーン等の紐状体や、その先端に取り付けたフック等を係止し、通行止め等の誘導として使用するといった使い方が一例として挙げられる。
【００１６】
前記アイボルトＴ１は、前記フック又は紐状体等を係止自在な係止用リング部２と、その係止用リング部２を取付対象物１に支持させるロッド状埋設取付部３とを一体に備えて構成されている。
素材は、例えば、ステンレス鋼等の金属で構成することができ、その場合は、風雨に曝されても腐蝕し難く、耐久性の向上を図ることができる。
【００１７】
前記係止用リング部２における前記埋設取付部３との境目部分は、前記埋設取付部３より大径の円柱状に形成してあり、その円柱状部２Ａの外周面、及び、前記係止用リング部２の環状部２Ｂの外周面には、例えば、キャラクター画像や、固有名詞等の文字等を、素材の凹凸によって表示された意匠部２ａが設けられている。
【００１８】
前記埋設取付部３は、円柱ロッド状に形成してあり、その外周面には、径方向の外方に突出した棒状部４Ａ（アンカー部４の一例）が一体に形成してある。前記棒状部４Ａは、埋設取付部３の長手方向の中央部より先端側に配置されている。
そして、当該埋設取付部３は、前述の通り、前記取付対象物１に形成された取付穴内に配置されてモルタル等の充填材Ｇで一体に埋設される。
従って、アイボルトＴ１に外力が作用した場合、埋設取付部３の外周面と前記充填材Ｇとの付着力、及び、棒状部４Ａによるアンカー力が発揮され、抜け難い設置状態を維持することが可能となる。
特に、棒状部４Ａを、埋設取付部３の先端側に設けてあることで、取付対象部１の取付穴内の深い部分に棒状部４Ａを位置させることができ、前記充填材Ｇのより広い範囲へのアンカー反力の確保が可能となる。
【００１９】
当該実施形態のアイボルトＴ１によれば、外観上の付加価値が、前記意匠部２ａによって向上すると共に、その意匠部２ａの表示は、素材の凹凸によって表示されているから、ペイントによって表示されものに比べて消え難く、いつまでも意匠部２ａの表示を維持することが可能となる。
そして、前記埋設取付部３に、ロッド径方向外方に突出した棒状部４Ａが設けられているから、前記棒状部４Ａがその周りの充填材Ｇと強く結合し、従来のように簡単に充填材Ｇが破断することを未然に防止でき、取付対象物１に一度定着させた後は、簡単には取り外す事ができなくなり、アイボルトＴ１が盗難に遭うのを未然に防ぐことが可能となる。
【００２０】
〔第２実施形態〕
図３、図４は、本発明の係止用金具Ｔの二番目の実施形態であるアイナットＴ２を示すものである。
尚、第１実施形態で説明したアイボルトＴ１と共通する構成の説明は割愛し、異なる部位を主として説明する。
【００２１】
前記アイナットＴ２は、前記フック又は紐状体等を係止自在な係止用リング部２と、その係止用リング部２を取付対象物１に支持させるロッド状埋設取付部３とが別体に形成してあると共に、それらは、嵌合によってロッド軸芯周りに相対空回転自在な状態に取り付け一体化が図られている。
【００２２】
詳細には、係止用リング部２の円柱状部２Ａには、埋設取付部３側に円形に開口した嵌合穴２ｂが形成してあり、この嵌合穴２ｂは、奥広がり形状に形成してあり、内嵌させた埋設取付部３が穴口縁部に引っ掛かることで外れ出ないように構成されている。
【００２３】
一方、埋設取付部３の基端部（係止用リング部側の部分）には、前記嵌合穴２ｂに内嵌する円形断面の突起部３ａが形成されている。この突起部３ａは、先細り形状の進入先部５と、それに隣接した縮径部６とが設けられており、前記嵌合穴２ｂに内嵌した状態で、進入先部５と縮径部６との境目の段部５ａが穴口縁部の裏に引っ掛かるように形成されている。従って、両者は、嵌合したままの状態でロッド軸芯周りに相対回転できるように連結されている。
そして、係止用リング部２と埋設取付部３との嵌合は、当該実施形態の場合は、無理嵌めによって行っており、そうすることで、螺子嵌合等では外れる危険性があるのに対して、嵌合状態を長期に亘って持続する事ができ、不用意に脱落したり、取り去られるのを未然に防止する事が可能となる。
【００２４】
また、埋設取付部３の先端部は、多角形形状の鍔状部４Ｂ（アンカー部４の一例）が形成してある。当該実施形態においては、６角形の例を挙げて説明する。
前記鍔状部４Ｂは、取付対象物１に埋設された状態では、全周にわたった引抜抵抗となるから、アイナットＴ２のより強固な固定が可能となる。
更には、外周面に、六つの頂点と、それら頂点間の平面とを有しており、仮に、何らかの原因で埋設取付部３にロッド軸芯周りの回転外力が作用した場合に、前記頂点や平面が回転に対する抵抗力を発揮でき、アイナットＴ２の固定が、より強固なものとなる。
【００２５】
当該実施形態のアイナットＴ２によれば、仮に、係止用リング部２に長尺の棒を挿入して、故意に埋設取付部毎回転させようとしたり、アイナットＴ２に取り付けたフックやチェーン等に、風や、不可抗力の外力が作用しても、前記係止用リング部２は、前記埋設取付部３に対して、ロッド軸芯周りに相対空回転自在に取り付けられているから、係止用リング部２のみが空回転するだけで、取付対象物１に回転力がそのまま伝わって充填材が破断するような事態は防止し易くなる。
そして、前記アンカー部は、ロッド軸芯方向視で多角形形状の鍔状部４Ｂで構成してあるから、単に埋設取付部１の引抜抵抗を鍔状部４Ｂで確保する事の他に、鍔状部４Ｂの前記多角形の角や、外周平面が周りの充填材Ｇと強く接当する事によって大きな抵抗力を生み出すことができ、より外れ難く安定した取付状態を維持することが可能となる。
【００２６】
〔別実施形態〕
以下に他の実施の形態を説明する。
【００２７】
〈１〉  当該係止用金具Ｔを取り付ける取付対象物１は、先の実施形態で説明した支柱に限るものではなく、他の一例としては、壁や、建物躯体等も挙げられ、要するに、当該係止用金具金具Ｔを取り付ける取付穴を備えたものであればよく、それらを総称して取付対象物１という。
〈２〉  前記係止用金具Ｔは、第１実施形態で説明したように、係止用リング部２とロッド状埋設取付部３とが一体に成形されたもの限るものではなく、第２実施形態のように、それぞれ別体に形成してあるものであってもよい。また、別体に形成した場合でも、必ずしも、第２実施形態で説明したように、係止用リング部２とロッド状埋設取付部３とがロッド軸芯周りに相対空回転自在に取り付けられているものに限らない。
〈３〉  前記アンカー部４は、第１実施形態で説明した棒状部４Ａに限るものではなく、第２実施形態で説明した鍔状部４Ｂであってもよく、更には、それらの組み合わせであったり、複数箇所に設けるものであってもよい。また、形状的には、それぞれ変更が可能で、要するに、前記ロッド状埋設取付部３に、ロッド径方向外方に突出してアンカー効果を期待できるものであればよく、それらを含めてアンカー部４と総称する。
【００２８】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２９】
【図１】第１実施形態の係止用金具の設置状況を示す側面図
【図２】第１実施形態の係止用金具の埋設取付部を示す断面図
【図３】第２実施形態の係止用金具の設置状況を示す一部切欠き側面図
【図４】第２実施形態の係止用金具の埋設取付部を示す断面図
【図５】従来例の係止用金具の設置状況を示す側面図
【符号の説明】
【００３０】
１      取付対象物
２      係止用リング部
２ａ    意匠部
３      ロッド状埋設取付部
４      アンカー部
【図１】
2008223943.tif 000003
【図２】
2008223943.tif 000004
【図３】
2008223943.tif 000005
【図４】
2008223943.tif 000006
【図５】
2008223943.tif 000007